(57)【要約】  人工股関節のための寛骨臼ソケット（１）は、ソケットシェル（７）とソケットインサート（８）とを備えている。ソケットシェル（７）は、患者の骨盤骨（２）内に移植されるように構成されており、回転軸線（１１）を中心として延在している収容空間（１０）を形成している内面（１２）を有している。ソケットインサート（８）は、ソケットシェル（７）と結合可能とされ、人工ステム（３）の関節頭（６）を支持するように構成されている。ソケットインサート（８）は、ソケットシェル（７）の収容空間（１０）内に着座さえるように構成されている。移動可能なアンチロック手段（１７）は、ソケットシェル（７）とソケットインサート（８）との間に設けられている。第１の位置において、アンチロック手段（１７）は、ソケットインサート（８）がソケットシェル（７）の収容空間（１０）内に着座されることを防止するが、ソケットインサート（７）がソケットシェル（７）内に着座され且つソケットシェル（７）と結合される第２の位置に移動可能とされる。アンチロック手段（１７）は、移殖中に外科医が正しい位置及び向きを決定する前に、ソケットインサート（８）が偶発的に所望しない位置にロックされることを防止する。
2014507977.tif 000002
【特許請求の範囲】
【請求項１】
ソケット、特に人工股関節のための寛骨臼ソケット（１）であって、
患者の骨盤骨（２）内に移植するように構成されているソケットシェル（７）であって、収容空間（１０）の境界を形成している内面（１２）を有している前記ソケットシェル（７）と、
前記ソケットシェル（７）と結合可能なソケットインサート（８）であって、人工ステム（３）の関節頭（６）を支持するように構成されていると共に、前記ソケットシェル（７）の前記収容空間（１０）内に着座されるように構成されている外面（１４）を有している、前記ソケットインサート（８）と、
を備えている前記ソケットにおいて、
移動可能なアンチロック手段（１７）が、前記ソケットシェル（７）と前記ソケットインサート（８）との間に設けられており、
前記ソケットインサート（８）が、第１の位置において、前記ソケットインサート（８）が前記ソケットシェル（７）の前記収容空間（１０）内に着座することを防止するように構成されており、
前記ソケットインサート（８）が、前記ソケットインサート（８）が前記ソケットシェル（７）内に着座されると共に前記ソケットシェル（７）と結合される、第２の位置に移動可能とされることを特徴とするソケット。
【請求項２】
前記ソケットインサート（８）を前記ソケットシェル（７）に押し込み、これにより前記ソケットインサート（８）を前記ソケットシェル（７）に結合させることによって、前記アンチロック手段（１７）が、前記第１の位置から前記第２の位置に移動されることを特徴とする請求項１に記載のソケット。
【請求項３】
前記アンチロック手段（１７）が、前記第１の位置において前記ソケットシェル（７）の前記内面（１２）と前記ソケットインサート（８）の前記外面（１４）との間に少なくとも部分的に配置されている、ピン（１８；２３）又は弾性手段（２１；２２）を備えていることを特徴とする請求項１又は２に記載のソケット。
【請求項４】
前記アンチロック手段（１７）が、前記第２の位置において前記ソケットシェル（７）内に形成されているチャネル（１９；２４）内に又は前記ソケットインサート（８）内に形成されているキャビティ内に配置されている、ピン（１８；２３）を備えていることを特徴とする請求項３に記載のソケット。
【請求項５】
前記ピン（２３）が、前記ソケットシェル（７）に対する前記ソケットインサート（８）の角度を事前に決定することを特徴とする請求項４に記載のソケット。
【請求項６】
前記ピン（１８；２３）が、前記第１の位置において、前記ソケットシェル（７）内に形成されている前記チャネル（１９；２４）から又は前記ソケットインサート（８）内に形成されている前記チャネルから突出しており、前記第２の位置において、前記チャネル（１９；２４）内に少なくとも部分的に収容されていることを特徴とする請求項４に記載のソケット。
【請求項７】
前記ピン（８；２３）が、前記ソケットシェル（７）内に形成されている前記チャネル（１９；２４）内に、及び／又は、前記ソケットインサート（８）内に形成されている前記チャネル内に押し込まれていることを特徴とする請求項４〜６のいずれか一項に記載のソケット。
【請求項８】
前記ピン（１８）が、前記チャネル（１９）内において前記ピン（１８）の下方に配置されているバネ又は弾性手段によって、前記第１の位置に保持されていることを特徴とする請求項４又は６に記載のソケット。
【請求項９】
前記バネ又は前記弾性手段が、前記ピン（１９）が前記第２の位置に位置している場合に、前記ソケットシェル（７）内に形成されている前記チャネル（１９）の内部で、又は、前記ソケットインサート（８）内に形成されている前記チャネルの内部で圧縮されることを特徴とする請求項８に記載のソケット。
【請求項１０】
前記ピン（１８；２３）又は前記弾性手段それぞれが、前記ソケットシェル（７）の極又は前記ソケットインサート（８）の極と位置合わせされていることを特徴とする請求項３〜９のいずれか一項に記載のソケット。
【請求項１１】
前記アンチロック手段（１７）が、可撓性を有している板状の、ピン状の、メンブレン状の、又は環状の手段（２２）を備えており、
前記手段（２２）が、前記収容空間（１０）の前記内面（１２）と前記ソケットインサート（８）の前記外面（１４）との間に配置されていることを特徴とする請求項３〜５、請求項７、請求項８、及び請求項１０のいずれか一項に記載のソケット。
【請求項１２】
環状の前記手段が、可撓性を有している環状ディスク（２２）を備えており、
前記環状ディスク（２２）が、前記第１の位置において、平坦とされ、前記第２の位置において、前記収容空間（１０）の前記内面（１２）と前記ソケットインサート（８）の前記外面（１４）との間に保持されるように固定されていることを特徴とする請求項１１に記載のソケット。
【請求項１３】
環状の前記手段が、圧縮可能なリングを備えており、
前記圧縮可能なリングが、前記第２の位置において、前記収容空間（１０）の前記内面（１２）と前記ソケットインサート（８）の前記外面（１４）との間で圧縮されることを特徴とする請求項１１に記載のソケット。
【請求項１４】
メンブレン状の前記手段が、伸張可能な及び／又は引き裂き可能なメンブレンを備えており、
前記メンブレンが、前記第２の位置において、前記収容空間（１０）の前記内面（１２）と前記ソケットインサート（８）の前記外面（１４）との間において伸長されるか、又は引き裂かれることを特徴とする請求項１１に記載のソケット。
【請求項１５】
前記収容空間（１０）が、前記ソケットシェル（７）の極に向かって直線的に縮径されている円錐状の形態をした前記内面（１２）を有しており、
前記ソケットインサート（８）が、前記ソケットシェル（７）内に着座され、これにより、前記収容空間（１０）内に押し込まれることによって自動的にロックされた態様で前記ソケットシェル（７）と結合されることを特徴とする請求項１〜１３のいずれか一項に記載のソケット。
【発明の詳細な説明】
【技術分野】
【０００１】
本発明は、ソケット、特に人工股関節のための寛骨臼ソケットに関する。
【背景技術】
【０００２】
完全人工股関節の場合には、関節頭を有している人工ステムが大腿骨内に挿入される。寛骨臼ソケットは、関節頭のための支承シェルとして機能するが、骨盤骨内に移植される。ソケットシェル及びソケットインサートから構成されている寛骨臼ソケットは、既知である。従って、ソケットシェルは、骨盤骨への移植に関して最適化可能とされ、ソケットインサートは、関節頭のための支承特性に関して最適化可能とされる。このような場合には、ソケットシェルは、ソケットシェルが可能な限り安定するように、骨盤骨内に形成及び配設されている。ソケットインサートは、人工ステムひいては患者の大腿骨が可能な限り整形外科的に正確な位置に配置されるように関節頭が収容された態様で、ソケットシェル内において方向づけられている。また、上述の事態は、例えば人工肩関節やこれに類するもののような他の種類の人工関節のソケットに適用可能とされる。
【０００３】
特許文献１に開示される寛骨臼ソケットでは、ソケットインサートが、球状の外面を有していると共に、ソケットシェルの同一の球半径を具備する対応する球状の収容空間内に着座される。従って、ソケットインサートがソケットシェル内に挿入されている場合には、ソケットインサートが自身の回転軸線を中心として自在に回転可能とされ、当該回転軸線は、収容空間の回転軸線に対して自在に傾斜させることができる。その結果として、骨構造に従って、ソケットシェルを骨盤骨内に配設可能となり、大腿骨内に挿入された人工ステムの整形外科的な位置に従って、ソケットインサートを方向づけることができる。ソケットインサートを所定の位置に固定するために、ソケットシェルの収容空間の球状の内面が、ソケットインサートの外面内に係合する尖頭突出歯を有している。尖頭突出歯はソケットインサートの外面に食い込む必要があるので、ソケットインサートの最良の選定が制限される。ソケットインサートをソケットシェルの尖頭突出歯に押圧することによって、ソケットインサートを正確な位置に挿入することが困難になる。
【０００４】
特許文献２は、このような問題の解決策を開示している。当該特許文献では、人工股関節のための寛骨臼ソケットは、ソケットシェル及びソケットインサートから構成されており、ソケットシェルは、ソケットインサートの球状の外面を挿入するための錘状の内面を具備する、収容空間を有している。最適に方向付けられたソケットインサートを固定することによって、当該ソケットインサートを収容空間内に容易に押し込むことが可能となるので、このような固定は容易に実行可能であり、付加的な器具又は付加的な固定手段を必要としない。その結果として、ソケットインサートは、所望の回転状態で自動的に係留された状態で固定可能となるり、ソケットシェルの収容空間内で傾斜可能となる。
【０００５】
ソケットインサートをソケットシェル内に信頼を以って固定するために、ソケットインサートとソケットシェルとは硬質の金属から作られている。好ましくは、ソケットシェルは、例えばチタン合金のような生体適合性を有している材料から製造されている。ソケットインサートについて、例えば金属材料、セラミック材料やプラスチック材料のような、ソケットシェルと関節頭との組から成る滑り特性に対応する材料を選択可能となる。
【０００６】
しかしながら、最初にソケットインサートがソケットシェル内に挿入された場合に、ソケットインサートが所定の位置にロックされるようにすることが発見された。これにより、ソケットインサートとソケットシェルとが、錘状／球状接続をする。従って、外科医は、ソケットインサートがソケットシェル内の所望の位置に押し込まれる前に正確に位置決めされた状態で正確な位置に方向づけられるように、ソケットインサートを自由にするために手術器具を利用する必要がある。
【先行技術文献】
【特許文献】
【０００７】
【特許文献１】欧州特許出願第０６６３１９３号明細書
【特許文献２】国際公開第２００５／０６３１４８号
【特許文献３】欧州特許出願公開第０６６３１９３号明細書
【発明の概要】
【発明が解決しようとする課題】
【０００８】
本発明の目的は、ソケットインサートが正確な位置決め及び方向づけをする前にソケットシェル内の望ましくない位置に挿入されることを防止することによって上述の問題を解決するソケット、特に人工股関節のための寛骨臼ソケットを提供することである。
【課題を解決するための手段】
【０００９】
本発明は、
ソケット、特に人工股関節のための寛骨臼ソケットであって、
患者の骨盤骨内に移植するように構成されているソケットシェルであって、収容空間の境界を形成している内面を有しているソケットシェルと、
ソケットシェルと結合可能なソケットインサートであって、人工ステムの関節頭を支持するように構成されていると共に、ソケットシェルの収容空間内に着座されるように構成されている外面を有している、ソケットインサートと、
を備えているソケットにおいて、
移動可能なアンチロック手段が、ソケットシェルとソケットインサートとの間に設けられており、
ソケットインサートが、第１の位置において、ソケットインサートがソケットシェルの収容空間内に着座することを防止するように構成されており、
ソケットインサートが、ソケットインサートがソケットシェル内に着座されると共にソケットシェルと結合される、第２の位置に移動可能とされることを特徴とするソケットを提供する。
【００１０】
上述のアンチロック手段を設けることによって、ソケットインサートがソケットシェル内に偶発的にロックされることが防止される。これにより、骨盤骨の骨格及び構造に従ってソケットシェルを骨盤骨内に移植可能となるので、最適な内成長を実現することができる。従って、ソケットインサートは、手術中の非結合状態において、ソケットシェルに対して自在に方向付けることができるので、外科医は、ソケットシェルに対するソケットインサートの相対位置を調整するための標準的な手順に従うことができる。特にソケットインサートは、ソケットシェル内で回転可能とされる。ソケットインサートの回転軸線は、人工ステムが挿入されている大腿骨が整形外科的に最適な位置に配置されている場合にソケットインサートの回転軸線が人工ステムのシャフトネックの軸線と位置合わせされるように、ソケットシェルの回転軸線に対して相対的に傾斜させることができる。さらに、本発明では、外科医は、ソケットインサートがソケットシェルから結合解除されている間に整復及び動作範囲を検査することができる。外科医が、ソケットインサートがソケットシェルに対して最適に配置されていると判断した場合に限り、アンチロック手段が、ソケットインサートがソケットシェルに挿入及び結合されるように移動される。
【００１１】
以下に説明する実施例では、ソケットインサートが収容空間内において自動的にロックされた状態でソケットシェルに結合可能とされるが、アンチロック手段は、ソケットインサートを収容空間内に押し込む方向において圧力をソケットインサートに作用させることによって移動される。このような作用は、同時に、ソケットインサートを自己保持された状態で収容空間内に固定可能とする第２の位置にアンチロック手段を移動させる。しかしながら、本発明は、球状／球状インターフェースを有しているソケットインサート及びソケットインサートを利用するように適合されており、２つの構成部品が共に偶発的にロックされることを防止することにも留意すべきである。
【００１２】
本発明の実施例については、添付図面を参照しつつ例示的に説明する。
【図面の簡単な説明】
【００１３】
【図１】本発明の第１の実施例における寛骨臼ソケットを利用する人工全股関節の概略図である。
【図２】図１に表わす寛骨臼ソケットの軸線方向における拡大断面図であり、寛骨臼ソケットが非結合位置に位置している。
【図３ａ】アンチロック位置における、図２に表わす寛骨臼ソケットの一部分を形成しているアンチロック手段の分解図を表わす。
【図３ｂ】寛骨臼ソケットをロックした後に適応される位置における、図２に表わす寛骨臼ソケットの一部分を形成しているアンチロック手段の分解図を表わす。
【図４】寛骨臼ソケットの一部分を形成しているアンチロック手段の改良された構成を表わす分解図である。
【図５ａ】非結合状態における、本発明の寛骨臼ソケットの第２の実施例を表わすが、図２に類似している。
【図５ｂ】結合状態における、本発明の寛骨臼ソケットの第２の実施例を表わすが、図２に類似している。
【図６ａ】図５ａに表わす寛骨臼ソケットの第２の実施例の一部分を形成している環の平面図である。
【図６ｂ】図５ｂに表わす寛骨臼ソケットの第２の実施例の一部分を形成している環の側面図である。
【図７】本発明における寛骨臼ソケットの第３の実施例を表わすが、図２に類似している。
【発明を実施するための形態】
【００１４】
全人工股関節は、患者の骨盤骨２内に移植するための寛骨臼ソケット１と、大腿骨４内に移植するための人工ステム３とを備えている。人工ステム３は、寛骨臼ソケット１内に挿入される関節頭６を具備する軸ネック５を有している。寛骨臼ソケット１は、ソケットシェル７とソケットインサート８とを備えている。ソケットシェル７は、従来の方法によって骨盤骨２内に挿入されるように構成されている。従来の方法としては、例えば骨盤骨２の外面に設けられた適切な把持構造体９を利用して骨盤骨２内に押し込むこと、螺合すること、及び、適切な固定具（図示しない）を利用することが挙げられる。ソケットシェル７は、略半球状且つ凹状に形成されており、収容空間１０を形成している。収容空間１０は、赤道面に対して開口しており、少なくともソケットシェル７がソケットインサート８の外面と接触する領域において、ソケットシェル７の中心軸線１１に関して回転対称とされる。
【００１５】
本発明の図示の実施例すべてにおいて、収容空間１０は、赤道面内に配設された開口部からソケットシェル７の極に向かって直線的に縮径している円錐状の形態とされる内面１２を有している。収容空間１０のベース１３は、極の領域において平坦化されている。錘状の内面１２と回転軸線１１とが成す角度は、ソケットインサート８がソケットシェル７内に押し込まれた場合に自己保持機能が発揮されるように、ソケットシェル７とソケットインサート８との材料の組み合わせに依存して選択される。当該角度は、好ましくは４°〜１０°とされる。
【００１６】
ソケットインサート８は、略半球状の形態とされる。ソケットインサート８の外面１４は、少なくともソケットインサート８が収容空間１０の内面１２と接触する領域において、球状の形態とされる。また、ソケットインサート８は、関節頭６を収容及び支持するように構成されている球状に窪んだ支持面１５を有している。球状の外面１４と球状の支持面１５とが、少なくとも接触領域において、ソケットインサート８の回転軸線１６に関して回転対称とされる。
【００１７】
ソケットインサート８が手術中に偶発的にソケットシェル７の収容空間１０内に着座されることを制限するために、可動式アンチロック手段１７がソケットシェル７とソケットインサート８との間に設けられている。アンチロック手段１７は、外科医がソケットインサート８をソケットシェル７に結合する準備が整うまで、ソケットインサート８をソケットシェル７に対して直立状態で保持する。
【００１８】
図２に表わす第１の実施例では、アンチロック手段１７は、ねじ込み継ぎ手２０の中央チャネル１９に押し込まれているピン１８を、又はソケットシェル７の極に配置されている類似する部品を備えている。図３ｂに表わすように、ピン１８の長さが中央チャネル１９の長さと略同一であるので、ピン１８の少なくとも一部分が、好ましくはピン１８の全体が中央チャネル１９内に収容可能とされる。しかしながら、ピン１８は、図３ａに表わす初期においては、中央チャネル１９から突出した状態にある。従って、図２に表わすように、ピン１８の突出している端部によって、ソケットインサート８がソケットシェル７内に着座することが防止される。しかしながら、ソケットインサート８が最適な方向に方向づけられており、且つ、ソケットインサート８をソケットシェル７に結合することが望ましい場合には、軸線方向においてソケットインサート８を収容空間１０内に押し込むことによって、ピン１８が中央チャネル１９内に押し込まれるので、もはやピン１８は突出しなくなる。これにより、ソケットインサート８が、最適な姿勢で留置された状態においてソケットシェル７に結合可能とされる。
【００１９】
言うまでもなく、ピン１８及び中央チャネル１９から成る機構は、依然として同一の機能を発揮することを条件として変更されても良い。例えば図４に表わすように、ピン１８は、ソケットインサート８がソケットシェル７内に押し込まれた場合に中央チャネル１９の内部において圧縮されることを条件として、バネ２１に、又は例えばゴム製若しくはプラスチック製のプラグ等のような同等の弾性手段に置き換えることができる。代替的には、ピン１８は、中央チャネル１９内において自在に移動可能とされるが、中央チャネル１９内においてピン１８の下方に配置されているバネ又は同等の弾性手段（図示しない）によって、突出位置に保持されている。このような場合には、バネ又は弾性手段は、ソケットインサート８を支持するのに十分な強度を有している必要があるが、ソケットインサート８が所定位置に押し込まれた場合にソケットインサート８がソケットシェル７内に結合されることを確実に防止するのに十分な強度を有している必要は無い。
【００２０】
さらに、言うまでもなく、ピン１８、バネ、又は弾性部材が、ソケットインサート８の外面１４に形成されている中央チャネル１９から突出しており、ソケットインサート８がソケットシェル７に押し込まれることによってソケットシェル７と結合した場合には、中央チャネル１９に押し込むことができる場合がある。必須ではないが好ましくは、ピン１８、バネ、又は弾性部材が、ソケットシェル７の極において中心軸線１１と位置合わせされている。この位置は、ソケットインサート８がソケットシェル７に押し込まれた場合に最大力を受けるようになっている。
【００２１】
図５ａ及び図５ｂは、本発明の第２の実施例を表わす。当該実施例では、図６ａ及び図６ｂに表わすように、アンチロック手段１７は、薄肉で可撓性を有している環状ディスク２２を備えている。環状ディスク２２は、ソケットシェル７内においてソケットインサート８の下方に配置されている。環状ディスク２２は、皿バネ、弾力的で可撓性を有しているワッシャ、又は平坦な状態から外側に湾曲可能な同様の手段を備えている。環状ディスク２２は、初期において平坦な状態とされるので、図５ａに表わすように、ソケットシェル７に対して相対的に高い位置においてソケットインサート８を保持しており、これによりソケットインサート７がソケットシェル８内で偶発的にロックされることを防止することができる。しかしながら、ソケットインサート８をソケットシェル７に結合すると共に、軸線方向においてソケットインサート８をソケットインサート７内にロックすることが望ましい場合には、軸線方向においてソケットインサート８を収容空間１０内に押し込むことによって、環状ディスク２２は、収容空間１０の内面１２とソケットインサート８の外面１４との間に保持されるように屈曲される。また、環状ディスク２２のバネ力は、ソケットインサート８を支持するのに十分であるが、ソケットインサート８をソケットシェル７内に結合することを防止するには十分ではない。
【００２２】
変形例では、アンチロック手段１７は、環状ディスク２２ではなく、圧縮可能なリングを備えている。圧縮可能なリングは、ソケット８がソケットシェル７内に押し込まれた場合に第２の位置に向かって屈曲されるのではなく、収容空間１０の内面１２とソケットインサート８の外面１４との間において圧縮されるように構成されている。
【００２３】
さらなる変形例では、アンチロック手段１７は、圧縮可能な板バネ、ピン、又はメンブレンとされるが、ソケットインサート８がソケットシェル７内に押し込まれた場合に上述の態様に類似する態様で変形可能であれば、環状手段ではない同様の手段でも良い。
【００２４】
さらに、環状ディスク２２又はリングは、独立した構成部品又は類似する態様で内面１２に固定されている構成部品ではなく、例えばソケットインサート８の外面１４に形成されている環状の溝から突出することによって外面１４の一部分を形成するように又は外面１４に固定されるように配置されている場合がある。
【００２５】
図７は、本発明の第３の実施例を表わす。この寛骨臼ソケットでは、ピン２３は、ソケットシェル７に対するソケットインサート８の角度を事前に規定するために、及び、アンチロック手段１７を配設するために利用される。図７に表わす図示の配置では、ピン２３は、所定位置においてソケットインサート８の外面１４に固定され、成形され、又は固着されている。当該実施例では、所定位置はソケットインサート８の極でるが、他の所定位置であっても良い。ピン２３は、当該実施例ではソケットインサート８の極である所定位置において、収容空間１０のベース１３に形成されているチャネル２４内に押し込まれるように構成されている。利用する際には、ピン２３によって、ソケットインサート８が偶発的にソケットシェル７にロックされることが防止される。しかしながら、ソケットインサート８がソケットシェル７に結合される前に、ソケットインサート８がソケットシェル７に対して正確に角度調整されていることも必要とされる。但し、このような結合には、ピン２３がチャネル２４に押し込まれることが必要とされる。
【００２６】
言うまでもなく、上述の構成は変更可能とされる。例えば、ピン２３は、ソケットシェル７に固定されており、ソケットインサート８の外面１４に形成されているチャネル又はキャビティを貫通している。ピン２３は、ソケットシェル７及びソケットインサート８のうち一方の構成部品に形成されているキャビティの外側に突出するように、及び、他方の構成部品に形成されている対応するチャネル又はキャビティを貫通するように配置されているので、ソケットシェル７とソケットインサート８との間にブリッジを形成している。また、言うまでもなく、ピン２３は、バネ装填式とされるか、又はバネ又はチャネル内においてピン２３の下方に配置されている同等の弾性手段（図示しない）によって突出部分内に付勢及び保持されている。このような構成では、ピン２３は、他方の構成部品のチャネル又はキャビティ内の所定位置に密に嵌め込まれている。
【００２７】
他の構成では、複数のチャネルがソケットシェル７又はソケットインサート８に設けられており、ソケットインサート８をソケットシェル７に結合する際に、寛骨臼ソケットの他の部分に固定されているピンが複数のチャネルのうちいずれのチャネルに押し込まれるべきかについては、外科医の判断に一任される。さらにさらなる変形例では、当該ピン機構が上述の第２の実施例と組み合わされるので、優位には、寛骨臼ソケットが２つの独立したアンチロック手段を備えている。
【００２８】
すべての図示の実施例では、収容空間１０は、上述の直線的に縮径している円錐状の形態とされる内面１２を有している。しかしながら、言うまでもなく、寛骨臼ソケット内で本発明を利用可能であり、この場合には、収容空間が、特許文献３に開示されるように半球状であるか、又は、ソケットインサート８をソケットシェル７内に正確に位置決めする前にソケットインサート８をソケットシェル７にロックすることを防止するために本発明が利用可能とされるのであれば、他の形状とされる。
【００２９】
例えばピン１８の形態をしたアンチロック手段１７が、アンチロック手段１７がソケットシェル７ではなくソケットインサート８に形成されている場合には、ソケットシェル７の極又はソケットインサート８の極と位置合わせ可能とされることに留意すべきである。好ましくは、上述のアンチロック手段１７は、ソケットシェル７又はソケットインサート８の回転軸線に関して偏心して配置されている。偏心角は、最大２５°であり、好ましくは５°〜１５°である。
【００３０】
さらに、本発明が、例えば股関節、肩関節や類する関節のようなすべての種類の関節についての、ソケットシェル及びソケットインサートを具備するソケットに適用されることに留意すべきである。
【符号の説明】
【００３１】
１  寛骨臼ソケット
２  骨盤骨
３  人工ステム
４  大腿骨
５  軸ネック
６  関節頭
７  ソケットシェル
８  ソケットインサート
９  把持構造体
１０  収容空間
１１  （ソケットシェル７の）中心軸線
１２  （収容空間１０）の内面
１３  （収容空間１０）ベース
１４  （ソケットインサート８の）外面
１５  （ソケットインサート８の）支持面
１６  （ソケットインサート８の）回転軸線
１７  アンチロック手段
１８  ピン
１９  中央チャネル
２０  ねじ込み継ぎ手
２１  バネ
２２  環状ディスク
２３  ピン
２４  チャネル
【図１】
2014507977.tif 000003
【図２】
2014507977.tif 000004
【図３ａ】
2014507977.tif 000005
【図３ｂ】
2014507977.tif 000006
【図４】
2014507977.tif 000007
【図５ａ】
2014507977.tif 000008
【図５ｂ】
2014507977.tif 000009
【図６ａ】
2014507977.tif 000010
【図６ｂ】
2014507977.tif 000011
【図７】
2014507977.tif 000012
【国際調査報告】
2014507977.tif 000013
2014507977.tif 000014
2014507977.tif 000015